(57)【要約】【課題】全信号のデータを波形表示させ、シーケンス情報を持っているものについてはＯＫ／ＮＧの判定と、ＯＫ／ＮＧの判断の基準となる原因と該当信号についても出力し、解析時間の短縮および測定精度をより向上させる。【解決手段】複数のアナログデータを入力するアナログデータ入力部１０１と、デジタルデータに変換するＡＤ変換部１０２と、変換されたデジタルデータを測定データとして記憶する測定データ記憶部１０４と、記憶された測定データの波形を作成して表示するデータ波形変換部１０５と、シーケンス情報を記憶するシーケンス情報記憶部１０９と、測定データをシーケンス情報と比較し、測定データのＯＫ／ＮＧ判定を行なう判定部１０７と、判定された結果の出力表示を行なう表示部１０６と、判定部１０７および表示部１０６を有効または無効にする切り替えを行なう切り替え部１０８と、を備える。【選択図】        図１
2010193544.tif 000002
【特許請求の範囲】
【請求項１】
複数の電圧系を有する機器のシーケンスの測定を行なうシーケンス測定装置であって、
複数のアナログデータを入力するアナログデータ入力手段と、
前記アナログデータをデジタルデータに変換するデータ変換手段と、
前記データ変換手段により変換されたデジタルデータを測定データとして記憶する測定データ記憶手段と、
前記測定データ記憶手段により記憶された測定データを受け取り、当該測定データの波形を作成して表示するデジタルデータ波形変換手段と、
前記機器のシーケンス情報を記憶するシーケンス記憶手段と、
前記測定データを前記シーケンス情報と比較し、前記測定データのＯＫまたはＮＧ判定を行なう判定手段と、
前記判定手段により判定された結果の出力表示を行なう表示手段と、
前記判定手段および前記表示手段を有効または無効にする切り替えを行なう切り替え手段と、
を備えることを特徴とするシーケンス測定装置。
【請求項２】
前記シーケンス情報は、各チャネルの所定の電圧レベルおよびタイミング情報を含み、
前記判定手段は、前記測定データが前記シーケンス情報に対して、
タイミングがずれているか否かを判定するタイミング判定手段と、
電圧が所定のレベルに達したか否かを判定する電圧レベル判定手段と、
中間電位となり、浮き（ハンプ）があるか否かを判定する浮き判定手段と、
を備え、
前記表示手段は、前記判定手段によるＯＫまたはＮＧの判定結果・要因と該当信号・該当部分を表示することを特徴とする請求項１に記載のシーケンス測定装置。
【請求項３】
さらに、
データ測定を行なう期間を設定する測定期間設定手段と、
測定信号数を設定する測定信号数設定手段と、
サンプリング速度を設定するサンプリング速度設定手段と、
を備えることを特徴とする請求項１または２に記載のシーケンス測定装置。
【請求項４】
さらに、各電圧レベルのハイレベル（Ｈ）とローレベル（Ｌ）の入れ替わり期間を測定データから検出し、その期間を過渡期、その他を定常期として過渡または定常期情報を記憶する過渡または定常期情報記憶手段を備え、
再度測定をする際には過渡または定常期情報を反映して状態ごとにサンプリング速度を変更させて測定を行なうことを特徴とする請求項１、２または３に記載のシーケンス測定装置。
【請求項５】
すべての信号の測定を終えたことを検知する測定終了検知通知手段と、
前記測定終了検知通知手段からの通知を受けた後、電源の測定対象への電源供給をＯＦＦ（オフ）して再度ＯＮ（オン）する制御を行なう測定対象電源オン／オフ制御手段と、
を備えることを特徴とする請求項１〜４のいずれか一つに記載のシーケンス測定装置。
【請求項６】
さらに、測定対象電源のオン／オフ制御にあたり、ＯＦＦ（オフ）の時間Ｔを変化させる測定対象電源オフ時間設定手段を備えることを特徴とする請求項５に記載のシーケンス測定装置。
【請求項７】
測定データ記憶手段と、シーケンス記憶手段とを有し、複数の電圧系を有する機器のシーケンスの測定を行なうシーケンス測定方法であって、
アナログデータ入力手段により複数のアナログデータを入力するアナログデータ入力工程と、
データ変換手段により前記アナログデータをデジタルデータに変換するデータ変換工程と、
前記データ変換手段により変換されたデジタルデータを測定データとして前記測定データ記憶手段に記憶する測定データ記憶工程と、
デジタルデータ波形変換手段により前記測定データ記憶手段により記憶された測定データを受け取り、当該測定データの波形を作成して表示するデジタルデータ波形変換工程と、
前記シーケンス記憶手段に前記機器のシーケンス情報を記憶するシーケンス記憶工程と、
判定手段により前記測定データを前記シーケンス情報と比較し、前記測定データのＯＫまたはＮＧ判定を行なう判定工程と、
表示手段により前記判定工程で判定された結果の出力表示を行なう表示工程と、
切り替え手段により前記判定工程および前記表示工程を有効または無効にする切り替えを行なう切り替え工程と、
を含むことを特徴とするシーケンス測定方法。
【請求項８】
前記シーケンス情報は、各チャネルの所定の電圧レベルおよびタイミング情報を含み、
前記判定工程は、前記測定データが前記シーケンス情報に対して、
タイミング判定手段によりタイミングがずれているか否かを判定するタイミング判定工程と、
電圧レベル判定手段により電圧が所定のレベルに達したか否かを判定する電圧レベル判定工程と、
浮き判定手段により中間電位となり、浮き（ハンプ）があるか否かを判定する浮き判定工程と、
を含み、
前記表示工程は、前記判定工程によるＯＫまたはＮＧの判定結果・要因と該当信号・該当部分を表示することを特徴とする請求項７に記載のシーケンス測定方法。
【請求項９】
さらに、
測定期間設定手段によりデータ測定を行なう期間を設定する測定期間設定工程と、
測定信号数設定手段により測定信号数を設定する測定信号数設定工程と、
サンプリング速度設定手段によりサンプリング速度を設定するサンプリング速度設定工程と、
を含むことを特徴とする請求項７または８に記載のシーケンス測定方法。
【請求項１０】
さらに、各電圧レベルのハイレベル（Ｈ）とローレベル（Ｌ）の入れ替わり期間を測定データから検出し、その期間を過渡期、その他を定常期として過渡または定常期情報を記憶する過渡または定常期情報記憶手段を備え、
再度測定をする際には過渡または定常期情報を反映して状態ごとにサンプリング速度を変更させて測定を行なうことを特徴とする請求項７、８または９に記載のシーケンス測定方法。
【請求項１１】
測定終了検知通知手段によりすべての信号の測定を終えたことを検知する測定終了検知通知工程と、
測定対象電源オン／オフ制御手段により前記測定終了検知通知工程からの通知を受けた後、電源の測定対象への電源供給をＯＦＦ（オフ）して再度ＯＮ（オン）する制御を行なう測定対象電源オン／オフ制御工程と、
を含むことを特徴とする請求項７〜１０のいずれか一つに記載のシーケンス測定方法。
【請求項１２】
さらに、測定対象電源オフ時間設定手段により測定対象電源のオン／オフ制御にあたり、ＯＦＦ（オフ）の時間Ｔを変化させる測定対象電源オフ時間設定工程を含むことを特徴とする請求項１１に記載のシーケンス測定方法。
【発明の詳細な説明】
【技術分野】
【０００１】
本発明は、複数の電圧系をもつ機器のシーケンスの測定を行なうシーケンス測定装置およびシーケンス測定方法に関するものである。
【背景技術】
【０００２】
従来、多チャンネル測定装置として、時間的な関係を持たない全く別々の複数の被測定対象を測定する場合を考慮し、最適なタイミングでそれぞれの被測定対象を測定する技術が開示されている（たとえば、特許文献１参照）。
【０００３】
また、複数の電圧系を有する画像形成装置において、主電源ＯＮ（オン）時や省エネモードからの復帰の際にコントローラの各電圧系がそれぞれ順に立ち上がるが、設計したとおりの順番およびタイミングで規定の電圧レベルに達しているかのＯＫ／ＮＧを確認しなければならない。その手段としてオシロスコープ（Ｏｓｃｉｌｌｏｓｃｐｏｐｅ）などの測定装置を用いて測定するものがある。オシロスコープは、機器のシーケンス測定の際に、時間の経過とともに電気信号（電圧）が変化していく様子をリアルタイムで表示させ、電気信号の変化していく様子を観察する際に汎用的に用いられている。このように、従来は装置内にそれぞれのシーケンス情報（電圧情報・タイミング情報）を持っているものを測定し、ＯＫまたはＮＧ判定を行なっていた。
【発明の概要】
【発明が解決しようとする課題】
【０００４】
しかしながら、上記に示されるような従来の技術にあっては、装置内にそれぞれのシーケンス情報（電圧情報・タイミング情報）を持っているものを測定し、ＯＫまたはＮＧ判定を行なうため、汎用性がなかった。また、オシロスコープは汎用的ではあるがｃｈ（チャンネル）数が僅かしかなくシーケンスを測定するには莫大な時間を必要とし、判定機能はないため、誰でもが容易に測定することができなかった。
【０００５】
本発明は、上記に鑑みてなされたものであって、シーケンス情報の有無に関わらず、全信号のデータを波形表示させ、シーケンス情報を持っているものについてはＯＫまたはＮＧの判定と、ＯＫまたはＮＧの判断の基準となる原因と該当信号についても出力し、解析時間の短縮および測定精度をより向上させることを目的とする。
【課題を解決するための手段】
【０００６】
上述した課題を解決し、目的を達成するために、本発明にかかるシーケンス測定装置は、複数の電圧系を有する機器のシーケンスの測定を行なうシーケンス測定装置であって、複数のアナログデータを入力するアナログデータ入力手段と、前記アナログデータをデジタルデータに変換するデータ変換手段と、前記データ変換手段により変換されたデジタルデータを測定データとして記憶する測定データ記憶手段と、前記測定データ記憶手段により記憶された測定データを受け取り、当該測定データの波形を作成して表示するデジタルデータ波形変換手段と、前記機器のシーケンス情報を記憶するシーケンス記憶手段と、前記測定データを前記シーケンス情報と比較し、前記測定データのＯＫまたはＮＧ判定を行なう判定手段と、前記判定手段により判定された結果の出力表示を行なう表示手段と、前記判定手段および前記表示手段を有効または無効にする切り替えを行なう切り替え手段と、を備えることを特徴とする。
【０００７】
また、本発明にかかるシーケンス測定方法は、測定データ記憶手段と、シーケンス記憶手段とを有し、複数の電圧系を有する機器のシーケンスの測定を行なうシーケンス測定方法であって、アナログデータ入力手段により複数のアナログデータを入力するアナログデータ入力工程と、データ変換手段により前記アナログデータをデジタルデータに変換するデータ変換工程と、前記データ変換手段により変換されたデジタルデータを測定データとして前記測定データ記憶手段に記憶する測定データ記憶工程と、デジタルデータ波形変換手段により前記測定データ記憶手段により記憶された測定データを受け取り、当該測定データの波形を作成して表示するデジタルデータ波形変換工程と、前記シーケンス記憶手段に前記機器のシーケンス情報を記憶するシーケンス記憶工程と、判定手段により前記測定データを前記シーケンス情報と比較し、前記測定データのＯＫまたはＮＧ判定を行なう判定工程と、表示手段により前記判定工程で判定された結果の出力表示を行なう表示工程と、切り替え手段により前記判定工程および前記表示工程を有効または無効にする切り替えを行なう切り替え工程と、を含むことを特徴とする。
【発明の効果】
【０００８】
本発明は、複数の電圧系を有する機器のシーケンスの測定を行なう際に、複数のアナログデータを入力し、このデータをデジタルデータに変換して測定データとして測定データ記憶手段に記憶し、記憶された測定データを受け取り、当該測定データの波形を作成して表示し、さらにシーケンス記憶手段に前記機器のシーケンス情報を記憶し、前記測定データを前記シーケンス情報と比較し、前記測定データのＯＫまたはＮＧ判定を行い、判定された結果の出力表示を行なって、判定および表示を有効または無効にする切り替えを行なうことにより、データを取り込んで波形表示するため、装置内にシーケンス情報を有しておらずＯＫまたはＮＧの判定をしようがない対象についても測定が可能となるため、装置が汎用的になり、かつ、誰でもが容易に測定することができる。また、あらかじめシーケンス情報を有しているものについては、波形表示とＯＫまたはＮＧ判定を併用することで測定精度が向上する。したがって、シーケンス情報の有無に関わらず、全信号のデータを波形表示させ、シーケンス情報を持っているものについてはＯＫまたはＮＧの判定と、ＯＫまたはＮＧの判断の基準となる原因と該当信号についても出力し、解析時間の短縮および測定精度をより向上させることができるという効果を奏する。
【図面の簡単な説明】
【０００９】
【図１】図１は、この第１の実施の形態にかかるシーケンス測定装置の構成を示すブロック図である。
【図２】図２は、この第１の実施の形態にかかるシーケンス測定装置の制御動作を示すフローチャートである。
【図３】図３は、この第２の実施の形態にかかるシーケンス測定装置の構成を示すブロック図である。
【図４】図４は、この第２の実施の形態にかかるシーケンス測定装置の制御動作を示すフローチャートである。
【図５】図５は、この第３の実施の形態にかかるシーケンス測定装置の構成を示すブロック図である。
【図６】図６は、この第３の実施の形態にかかるシーケンス測定装置の制御動作を示すフローチャートである。
【図７】図７は、この第４の実施の形態にかかるシーケンス測定装置の構成を示すブロック図である。
【図８】図８は、この第４の実施の形態にかかるシーケンス測定装置の制御動作を示すフローチャートである。
【図９】図９は、この第５の実施の形態にかかるシーケンス測定装置の構成を示すブロック図である。
【図１０】図１０は、この第５の実施の形態にかかるシーケンス測定装置の制御動作を示すフローチャートである。
【図１１】図１１は、第１の実施の形態にかかるｎｃｈごとの波形表示例を示す説明図である。
【図１２】図１２は、図１の波形にｎｃｈ分のｍ番目までのサンプリングの流れ、タイミング情報、電圧レベルを追加した表示例を示す説明図である。
【図１３】図１３は、電圧情報レベルの詳細表示例を示す説明図である。
【図１４】図１４は、測定結果から生成された波形においてどの部分が定常期または過度期となるかを示す説明図である。
【図１５】図１５は、ｃｈごとの定常期または過度期に応じてサンプリング速度が変化して行なうため、同一時刻においてｃｈによってサンプリング速度が同一とは限らない例示す説明図である。
【発明を実施するための形態】
【００１０】
以下に添付図面を参照して、この発明にかかるシーケンス測定装置およびシーケンス測定方法の実施の形態を詳細に説明する。
【００１１】
（第１の実施の形態）
従来は装置内に各々のシーケンス情報を持っているものを測定し、ＯＫまたはＮＧ判定を行なうだけであり、汎用性がなかった。また、オシロスコープは汎用的ではあるがｃｈ数が僅かしかなくシーケンスを測定するには莫大な時間を必要とし、判定機能はないため、誰でもが容易に測定することができなかった。また、従来は測定し、ＯＫまたはＮＧ判定を行なうだけであり、どのデータが何故ＮＧかは改めてオシロスコープで測定しなおす必要があった。また、ＮＧとなる原因を把握するために、ＮＧデータに関連する電源信号も併せて測定する必要があった。そこで、本発明では以下のように構成し動作を行なう。
【００１２】
以下にこの第１の実施の形態にかかるシーケンス測定装置１００ａに関する測定データから波形を作成して表示するデジタルデータ波形変換手段とその制御方法について説明をする。図１は、この実施の形態１にかかるシーケンス測定装置の構成を示すブロック図である。この図１において、符号１００ａはシーケンス測定装置、符号１０１は複数のアナログデータを入力するアナログデータ入力部、符号１０２はアナログデータをデジタルデータに変換するＡＤ変換部、符号１０３はマイクロコンピュータシステムを有し、あらかじめ格納されたプログラムにしたがって本装置全他の制御を行なう制御部、符号１０４は変換されたデジタルデータを測定データとして記憶する測定データ記憶部、符号１０５は測定データ記憶手段により記憶された測定データを受け取り、波形を成形し表示するデータ波形変換部、符号１０６は判定部１０７により判定された結果の出力表示を行なう表示部、符号１０７は測定データをシーケンス情報と比較し、測定データのＯＫまたはＮＧ判定を行なう判定部、符号１０８は判定部１０７および表示部１０６を有効または無効にする切り替え部、符号１０９はシーケンス情報を記憶するシーケンス情報記憶部、符号１１０はシーケンス情報である。また、符号１３０は主電源、符号１３１は測定対象電源、符号１３２は測定対象、符号１３３は測定信号、符号１３４はＡＤ変換部１０２および測定データ記憶部１０４に電力を供給する電源である。
【００１３】
つぎに以上のように構成されたシーケンス測定装置１００ａの動作について図２に示すフローチャートを参照し、説明する。なお、この動作は制御部１０３によって各部が統括的に制御される。図２において、まず、シーケンス情報記憶部１０９にシーケンス情報を保有しているか否かを判断する（ステップＳ１）。ここでシーケンス情報を保有していると判断した場合（判断ＹＥＳ）、表示部１０６、判定部１０７をオンする（ステップＳ２−ａ）。続いて、測定対象電源１２１をオンし（ステップＳ３−ａ）、測定対象１３２からアナログデータ入力部１０１を介して、入力データをＡＤ変換部１０２でＡＤ変換し、測定データ記憶部１０４に保存する（ステップＳ４−ａ）。さらに、全信号について測定が終了した後にデータ波形変換部１０５で波形を成形・表示し（ステップＳ５−ａ）、シーケンス情報記憶部１０９にある測定対象のシーケンス情報１１０を元に、判定部１０７で測定データのＯＫまたはＮＧ判定を行い（ステップＳ６）、表示部１０６でその結果を表示し(ステップＳ７)、本測定を終了する（ステップＳ８−ａ）。
【００１４】
上記の動作はシーケンス情報１１０を構成内にもっている測定対象を測定する場合であり、切り替え部１０８により、表示部１０６、判定部１０７の機能はあらかじめオンにしている。
【００１５】
一方、ステップＳ１においてシーケンス情報１１０を保有していないと判断した場合（判断ＮＯ）、すなわち、シーケンス情報１１０をシーケンス情報記憶部１０９にもっていない測定対象を測定する場合には、切り替え部１０８により、表示部１０６、判定部１０７の機能をオフにする（ステップＳ２−ｂ）。測定対象電源１３１をオンし（ステップＳ３−ｂ）、測定、データ保存を行い（ステップＳ４−ｂ）、全信号について測定した後に波形表示を行って（ステップＳ５−ｂ）、終了する（ステップＳ８−ｂ）。
【００１６】
この波形の表示についてはシーケンス情報１１０の有無に関わらず、図１１のように出力される。なお、データ波形変換部１０５をはじめとして、その内部の手段、判定や出力処理はすべてソフトウェアによるものであり、ハードウェアによる構成で与えられるものではない。
【００１７】
（第２の実施の形態）
図３は、この第２の実施の形態にかかるシーケンス測定装置１００ｂの構成を示すブロック図である。この図３に示すシーケンス測定装置１００ｂは図１に示した構成に対して、判定部１０７内に、タイミング判定部１１１、電圧レベル判定部１１２、浮き判定部１１３を付加したものである。よって、図１と同じ機能要素については同一符号を付し、ここでの重複説明は省略する。
【００１８】
図３のタイミング判定部１１１、電圧レベル判定部１１２、浮き判定部１１３の各種判定について、判定対象部分について図１２、図１３に示す。図１２は図１１の波形にｎｃｈ分のｍ番目までのサンプルの流れ、タイミング情報、電圧レベル情報を追加したものであり、図１３は電圧レベル情報の詳細である。
【００１９】
以下に測定データから波形作成・表示するデジタルデータ波形変換部１０５に関する表示部１０６とシーケンス情報１１０との判定部１０７の制御方法について説明をする。
【００２０】
シーケンス情報１１０は測定対象の各信号の所定の電圧レベルとタイミング情報であり、電圧レベルは、各信号のローレベル（Ｌ）の最小値と最大値、ハイレベル（Ｈ）の最小値と最大値の情報であり(それぞれＶＬｍｉｎ，ＶＬｍａｘ，ＶＨｍｉｎ，ＶＨｍａｘとする)、タイミング情報は、トリガとなる信号に対して、対象の信号が立ち上がるまたは立ち下がるべき時間と、その信号自身が立ち上がるまたは立ち下がるために要する時間情報である。
【００２１】
図４は、図３に示したシーケンス測定装置１００ｂの判定部１０７内の各機能および表示動作を示すフローチャートであり、図３のステップＳ６，Ｓ７内の詳細を示すものである。
【００２２】
図４において、判定部１０７は、タイミング判定部１１１、電圧レベル判定部１１２、浮き判定部１１３により測定データがシーケンス情報１１０に対して以下の判定を行い(ステップＳ６)、表示部１０６で結果を表示する（ステップＳ７）。
【００２３】
すなわち、それは各信号の立ち上がるまたは立ち下がるタイミングがずれているか否かタイミング判定部１１１で判断し（ステップＳ２１）、電圧レベル判定部１１２により電圧が所定のレベルに達して、オーバーシュートやアンダーシュートがあっても所定の範囲内に収まっているか否かを判断し（ステップＳ２２）、浮き判定部１１３により、立ち上がりと立ち下がりのときを除いた中間電位となり浮き（ハンプ）があるか否かを判定する（ステップＳ２３）という動作を実行する。
【００２４】
すべての判定(ステップＳ２１、Ｓ２２、Ｓ２３)の判定がＹＥＳの場合(図４ではステップＳ２１⇒ステップＳ２２−ａ⇒ステップＳ２３−ａの順)、表示部１０６にてＯＫ表示を行なう（ステップＳ２４）。その他の場合、表示部１０６にてＮＧの判定結果・要因と該当信号・該当部分の表示を行なう（ステップＳ２５）。
【００２５】
なお、図４ではタイミング判定をステップＳ２１、電圧レベル判定をステップＳ２２、浮き判定をステップＳ２３としてあるが、この三つの判定順序は任意である。
【００２６】
中間電位はローレベルの最小値（ＶＬｍａｘ）より大きく、ハイレベルの最小値（ＶＨｍｉｎ）より小さい部分である。
【００２７】
立ち上がりと立ち下がりのときは、シーケンス情報１１０のタイミング情報にその変化の情報があるため、浮きとは判断せずに、その他の中間電位を浮きと判断する。
【００２８】
表示部１０６は、判定部１０７によるＯＫまたはＮＧの判定結果・要因と該当信号・該当部分を表示するものであり、その結果、判定要因はタイミング、電圧レベル、浮き、オーバーシュートやアンダーシュートによりＶＨｍａｘを超えるまたはＶＬｍｉｎを下回る、等である。
【００２９】
なお、データ波形変換部１０５をはじめとして、その内部の手段、判定や出力処理は全てソフトウェアによるものであり、ハードウェアによる構成で与えられるものではない。
【００３０】
（第３の実施の形態）
ところで、従来の装置ではサンプリング速度、測定信号数、測定期間の可変には対応しておらず、状況に応じての変更ができなかった。そこで、この実施の形態では以下のように構成し動作させる。
【００３１】
以下に、測定データから波形作成・表示するデジタルデータ波形変換部に関する、サンプリング速度設定部と測定期間設定部と測定信号数設定部の制御方法について説明をする。図５は、この実施の形態３にかかるシーケンス測定装置１００ｃの構成を示すブロック図である。この図５に示すシーケンス測定装置１００ｃは図３に示した構成に対して、サンプリング速度設定部１１４、測定期間設定部１１５、測定信号数設定部１１６を付加したものである。よって、図３と同じ機能要素については同一符号を付し、ここでの重複説明は省略する。
【００３２】
図６は、この第３の実施の形態にかかるシーケンス測定装置１００ｃの動作を示すフローチャートである。図６において、図２と同様の動作を行なう前に、サンプリング速度設定部１１４と、測定期間設定部１１５と、測定信号数設定１１６により、可変である各パラメータを測定開始前に設定を行なう（ステップＳ３１、Ｓ３２、Ｓ３３）。続いて、図２に示した動作と同様の処理を実行する。すなわち、測定・データ保存、判定・表示を行なう（ステップＳ１〜Ｓ８）。ただし、ステップＳ1でＮＯを判定した場合にはステップＳ６、Ｓ７の処理フローはない。また、ステップＳ３１、Ｓ３２、Ｓ３３の三つの設定フローの順番は任意である。
【００３３】
なお、データ波形変換部１０５をはじめとして、その内部の手段、判定や出力処理はすべてソフトウェアによるものであり、ハードウェアによる構成で与えられるものではない。
【００３４】
（第４の実施の形態）
さて、最も精査するべき過渡期と定常期とを同じサンプリング速度で測定・記録していたのでは測定データ記憶手段の有限な容量内で記憶するにあたり、サンプリング速度と測定期間、測定信号数のいずれかに制限が生じる。サンプリング速度を上げるならば、測定期間や測定信号数を減らす必要が生じる。
【００３５】
図７は、この第４の実施の形態にかかるシーケンス測定装置１００ｄの構成を示すブロック図である。この図７に示すシーケンス測定装置１００ｄは図５に示した構成に対して、サンプリング速度設定部１１４に過度期サンプリング速度設定部１１７と定常期サンプリング速度設定部１１８を付加し、さらに過度または定常期情報１２０を記憶する過度または定常期情報記憶部１１９を付加したものである。よって、図５と同じ機能要素については同一符号を付し、ここでの重複説明は省略する。過渡期または定常期情報１２０について図１４、図１５に示す。
【００３６】
以下に本発明の測定データから波形作成・表示するデジタルデータ波形変換部１０５に関する過渡または定常期情報記憶部１１９、サンプリング速度設定部１１４における過渡期サンプリング速度設定部１１７と定常期サンプリング速度設定部１１８、過渡または定常期情報を反映した測定の制御方法について図８に示すフローチャートを参照し、説明する。
【００３７】
図８において、ステップＳ４１〜Ｓ４５の上部の処理は図６と同様である。すなわち、各種設定測定を行い（ステップＳ３１〜Ｓ３３、ステップＳ１〜Ｓ８）、過渡期または定常期情報記憶部１１８に過渡期または定常期情報１１９を保存し（ステップＳ４１）、いったん、測定を終了する(ステップＳ４２)。
【００３８】
再度測定する際に測定期間設定部１１５と、測定信号数設定部１１６と、過渡期サンプル速度設定部１１７と、定常期サンプル速度設定部１１８により可変である各パラメータを再測定の開始前に設定を行い（ステップＳ４３〜Ｓ４５）、測定・データ保存、判定・表示を行なう。ただし、ステップＳ１でＮＯを判定した場合はステップＳ６、Ｓ７の処理フローはない。
【００３９】
また、ステップＳ４３〜Ｓ４５の三つの設定フローの順番は任意であり、ステップＳ４１の処理フローはステップＳ４からステップＳ４２の前ならいずれであってもよい。
【００４０】
図１４、図１５は測定結果から生成された波形において、どの部分が定常期または過渡期となるかを示したものであり、過渡期または定常期情報記憶部１１９に保存された過渡期または定常期情報１２０に該当している。なお、図１４、図１５において右側の図は状態別にサンプル速度を変化させて拡大したものである。
【００４１】
図１５は、図１４に対応した過渡期または定常期情報１２０にもとづいて、状態ごとにサンプリング速度を変化させて再度測定を行った場合のサンプリングの状態図である。
【００４２】
図１４と図１５の組合せでの相違点は、図１４は全ｃｈのうち1ｃｈにでも過渡期のものがあれば全ｃｈ一律にサンプリング速度を変化させているのに対して、図１５はｃｈごとの定常期または過渡期に応じてサンプリング速度が変化して測定を行なうため、同一時刻においてｃｈによってサンプリング速度が同一とは限らないことを示している。
【００４３】
なお、データ波形変換部１０５をはじめとして、その内部の手段、判定や出力処理は全てソフトウェアによるものであり、ハードウェアによる構成で与えられるものではない。
【００４４】
（第５の実施の形態）
全信号の測定後に測定対象の電源ＯＦＦ（オフ）／ＯＮ（オン）制御を行い再度測定を行なうには手動で行なう必要があり、所望のタイミングからずれる可能性が大きくバラツキが生じ、かつ、測定が終了する際には必ず測定環境の傍にいることが必要となる。別途タイマーを使って時間を測定しても、全信号の測定終了のタイミングに併せて測定対象のＯＦＦ（オフ）／ＯＮ（オン）制御は難しい。また、電源ＯＦＦ（オフ）時間Ｔの長さによって、再度測定対象電源をＯＮ（オン）したときの各信号の振る舞いの違いを検証する必要がある。以下、このような課題を解決する具体例について説明する。
【００４５】
図９は、この第５の実施の形態にかかるシーケンス測定装置１００ｅの構成を示すブロック図である。この図９に示すシーケンス測定装置１００ｅは図７に示した構成に対して、測定対象電源ＯＦＦ／ＯＮ制御部１２１、測定対象電源ＯＦＦ時間設定部１２２、測定終了検知通知部１２３を付加したものである。よって、図７と同じ機能要素については同一符号を付し、ここでの重複説明は省略する。
【００４６】
以下に本発明の、シーケンス測定装置１００ｅに関する定対象電源ＯＦＦ／ＯＮ制御部１２１と測定対象電源ＯＦＦ時間設定部１２２の制御方法と、測定データから波形作成・表示するデータ波形変換部１０５に関する測定終了検知通知部１２３の制御方法について図１０に示すフローチャートを参照し、説明をする。
【００４７】
図１０に示すフローチャートは、前述した図６のフローチャートにステップＳ５１〜Ｓ５５が異なるものである。すなわち、測定が終了し、測定終了検知通知部１２３が測定終了を検知して制御部１０３に通知し（ステップＳ５２）、測定対象電源ＯＦＦ／ＯＮ制御部１２１により測定対象電源１３１をＯＦＦ（オフ）／ＯＮ（オン）する場合（ステップＳ５３）には、測定対象電源ＯＦＦ時間設定部１２２により設定された(ステップＳ５１)ＯＦＦ（オフ）時間Ｔに基づき測定対象電源のＯＦＦ（オフ）／ＯＮ（オン）制御を行い(ステップＳ５５)、再度測定のステップＳ３へ戻る。
【００４８】
なお、データ波形変換部１０５をはじめとして、その内部の手段、判定や出力処理はすべてソフトウェアによるものであり、ハードウェアによる構成で与えられるものではない。
【００４９】
したがって、上述した各実施の形態によれば以下に列記するような効果を奏する。第１に、複数の電圧系を有する機器のシーケンスの測定を行なうシーケンス測定装置において、複数のアナログデータを入力するアナログデータ入力手段と、前記アナログデータをデジタルデータに変換するデータ変換手段と、前記データ変換手段により変換されたデジタルデータを測定データとして記憶する測定データ記憶手段と、前記測定データ記憶手段により記憶された測定データを受け取り、当該測定データの波形を作成して表示するデジタルデータ波形変換手段と、前記機器のシーケンス情報を記憶するシーケンス記憶手段と、前記測定データを前記シーケンス情報と比較し、前記測定データのＯＫまたはＮＧ判定を行なう判定手段と、前記判定手段により判定された結果の出力表示を行なう表示手段と、前記判定手段および前記表示手段を有効または無効にする切り替えを行なう切り替え手段と、を備えることにより、データを取り込んで波形表示するため、装置内にシーケンス情報を有しておらずＯＫまたはＮＧの判定をしようがない対象についても測定が可能となるため、装置が汎用的になり、かつ、誰でもが容易に測定することができる。また、あらかじめシーケンス情報を有しているものについては、波形表示とＯＫまたはＮＧ判定を併用することで測定精度が向上する。
【００５０】
第２に、前記シーケンス情報は、チャネルごとの所定の電圧レベルおよびタイミング情報を含み、前記判定手段は、前記測定データが前記シーケンス情報に対して、タイミングがずれているか否かを判定するタイミング判定手段と、電圧が所定のレベルに達したか否かを判定する電圧レベル判定手段と、中間電位となり、浮き（ハンプ）があるか否かを判定する浮き判定手段と、を備え、前記表示手段は、前記判定手段によるＯＫまたはＮＧの判定結果・要因と該当信号・該当部分を表示することにより、ＮＧ部分とＮＧ理由が表示され、波形との比較が可能なことで、即座に視覚的にＮＧ部と状態を把握でき、測定・解析時間が短縮できる。また、他のデータも同時に波形確認が可能なため、ＮＧデータに関連する電源信号を併せて測定する必要なく原因の究明が容易にできるようになり、作業効率が上がる。
【００５１】
第３に、さらに、データ測定を行なう期間を設定する測定期間設定手段と、測定信号数を設定する測定信号数設定手段と、サンプリング速度を設定するサンプリング速度設定手段と、を備えることにより、様々な条件設定が可能となり、状況に対して最適であると考えられる設定下での測定が可能となる。最適な設定下で測定を行なうことで、重点部分や項目に注目して、より詳細な測定が可能となり、測定精度が向上する。必要な測定期間を設定、信号数を設定・限定することで測定期間の短縮が可能となる。
【００５２】
第４に、さらに、各電圧レベルのハイレベル（Ｈ）とローレベル（Ｌ）の入れ替わり期間を測定データから検出し、その期間を過渡期、その他を定常期として過渡または定常期情報を記憶する過渡または定常期情報記憶手段を備え、再度測定をする際には過渡または定常期情報を反映して状態ごとにサンプリング速度を変更させて測定を行なうことにより、状態（過渡期／定常期）別にサンプリング速度を変化させることで、過渡期と定常期とを同じサンプリング速度で測定・記録する場合と比較すると測定データ記憶手段の利用量の削減が可能となり、同一の測定期間・測定信号数でも過渡期においてサンプリング速度を上げることが可能となり、過渡期の測定精度が向上する。
【００５３】
第５に、すべての信号の測定を終えたことを検知する測定終了検知通知手段と、前記測定終了検知通知手段からの通知を受けた後、電源の測定対象への電源供給をＯＦＦ（オフ）して再度ＯＮ（オン）する制御を行なう測定対象電源オン／オフ制御手段と、を備えることにより、装置内に測定終了検知手段を持つことで、確実にＯＦＦ（オフ）／ＯＮ（オン）をするタイミングを計ることができ、かつ自動で行なうため、ＯＦＦ（オフ）／ＯＮ（オン）制御にバラツキがなくなり、測定精度、信頼性が向上する。また、自動で行なうので放置しておくことができ、他の工数と並行が可能となり、トータルでの工数削減も可能となる。
【００５４】
第６に、さらに、測定対象電源のオン／オフ制御にあたり、ＯＦＦ（オフ）の時間Ｔを変化させる測定対象電源オフ時間設定手段を備えることにより、電源ＯＦＦ（オフ）時間Ｔが短い場合と長い場合では再度主電源をＯＮ（オン）したときの各信号の振る舞いに違いが生じることがあるため、様々な時間Ｔの設定下でＯＦＦ（オフ）／ＯＮ（オン）制御をして測定することで測定・評価の信頼性が向上する。
【産業上の利用可能性】
【００５５】
以上のように、本発明にかかるシーケンス測定装置およびシーケンス測定方法は、複写機・プリンタなどに画像形成装置などの機器のシーケンスを確認する作業などに有用であり、特に、数の電圧系を有する機器のシーケンスの測定を行なうシーケンス測定装置に適している。
【符号の説明】
【００５６】
１００ａ，ｂ，ｃ，ｄ，ｅ  シーケンス測定装置
１０１  アナログデータ入力部
１０２  ＡＤ変換部
１０３  制御部
１０４  測定データ記憶部
１０５  データ波形変換部
１０６  表示部
１０７  判定部
１０８  切り替え部
１０９  シーケンス情報記憶部
１１０  シーケンス情報
１１１  タイミング判定部
１１２  電圧レベル判定部
１１３  浮き判定部
１１４  サンプリング速度設定部
１１５  速度期間設定部
１１６  速度信号数設定部
１１７  過度期サンプリング速度設定部
１１８  定常期サンプリング速度設定
１１９  過度期または定常期情報記憶部
１２０  過度または定常期情報
１２１  測定対象電源ＯＦＦ／ＯＮ制御部
１２２  測定対象電源ＯＦＦ時間設定部
１２３  測定終了検知通知部
【先行技術文献】
【特許文献】
【００５７】
【特許文献１】特開２００６−０７１４４５号公報
【図１】
2010193544.tif 000003
【図２】
2010193544.tif 000004
【図３】
2010193544.tif 000005
【図４】
2010193544.tif 000006
【図５】
2010193544.tif 000007
【図６】
2010193544.tif 000008
【図７】
2010193544.tif 000009
【図８】
2010193544.tif 000010
【図９】
2010193544.tif 000011
【図１０】
2010193544.tif 000012
【図１１】
2010193544.tif 000013
【図１２】
2010193544.tif 000014
【図１３】
2010193544.tif 000015
【図１４】
2010193544.tif 000016
【図１５】
2010193544.tif 000017